(57)【特許請求の範囲】
【請求項１】
排水が流入する流入部と、
前記排水が流出する流出部と、
前記流入部と前記流出部の間に設けられる水封式の封水部と、
前記流出部と連通し、空気圧により拡縮する拡縮室と、
を備える排水トラップ。
【請求項２】
一端部が前記流出部と連通し他端部が前記拡縮室と連通する空気抜き管を有する、請求項１に記載の排水トラップ。
【請求項３】
前記空気抜き管の前記他端部は上方に延出されている、請求項２に記載の排水トラップ。
【請求項４】
前記空気抜き管の前記他端部側は、鉛直方向に配置されている、請求項２又は請求項３に記載の排水トラップ。
【請求項５】
前記空気抜き管は、前記一端部が前記流出部の上部と連通していること、を特徴とする請求項２〜請求項４のいずれか１項に記載の排水トラップ。
【請求項６】
前記流出部に設けられ、外部からの空気を前記流出部へ流入させる通気弁を備える、請求項１〜請求項５のいずれか１項に記載の排水トラップ。
【請求項７】
前記拡縮室が袋体で構成される、請求項１〜請求項６のいずれか１項に記載の排水トラップ。
【請求項８】
ユニットバスに設けられる排水口と、
前記排水口に連通し、前記ユニットバスの床面と床スラブとの間に設けられる請求項１〜請求項７の何れか１項に記載の排水トラップと、
を有するユニットバスの排水構造。
【請求項９】
前記排水トラップの流出部と連通して横方向へ延び、前記排水トラップからの排水を横方向へ流す横引き管と、
前記横引き管と連通して下方へ延び、前記横引き管からの排水を流下させることによりサイフォン力を発生させる竪管と、
を備える請求項８に記載のユニットバスの排水構造。
【発明の詳細な説明】
【技術分野】
【０００１】
本発明は、排水トラップ及びユニットバスの排水構造に関する。
【背景技術】
【０００２】
従来から、ユニットバスや洗面器等の水廻りの排水構造には、封水を貯留して排水管からの臭気などを遮断するため、水封式の排水トラップが設けられている（特許文献１参照）。この排水トラップは、排水管内が過度に負圧となったときに、破封や、それに伴う騒音等が発生し、また排水管内が過度に正圧となったときに、水廻りの排水口から水が拭き出す現象が発生する場合がある。
【０００３】
このため、水封式の排水トラップには、ある程度の封水強度を持たせる必要がある。なお、封水強度とは排水管内に正圧又は負圧が生じた時の、排水トラップの封水保持能力のことをいう。また、正圧とは、大気圧よりも高圧であることをいい、負圧とは、大気圧よりも低圧であることをいう。
【０００４】
現在、日本国内において、排水トラップの封水強度は、封水深（封水の深さ）という構造規定によって定められている。具体的には、ＳＨＡＳＥ−Ｓ２１８の基準や、建築基準法の告示（建設省告示第１６７４）において、封水深を５０ｍｍ〜１００ｍｍとする構造規定がある。
【０００５】
しかしながら、単純に封水深を深くすると封水強度は増すが、排水トラップ内に汚れが溜まって性能が低下したり、メンテナンス性が悪化する。また、ユニットバスなどの低位排水の排水器具では、床下空間の縮小化のために器具自体の低床化が求められているが、封水深を深くすることは、低床化のネックとなっている。
【０００６】
さらに、排水トラップの封水強度は、封水深だけでなく、様々な要素によって定まる。
例えば、流入側管の断面積と流出側管の断面積の比率（脚断面積比）を大きくする、すなわち、トラップの流入側管の断面積を流出側管の断面積より大きくすることによって、封水強度を高めることができる。
【０００７】
しかしながら、脚断面積比に関しては、法律や規格などで規定されている数値ではないため、現在販売されている排水トラップの中には、脚断面積比が０．８以下の排水トラップも散見される。また、脚断面積比を極端に大きくすると、メンテナンス性が悪化する。
【０００８】
さらに、脚断面積比が同じでも、排水トラップの構造（Ｐトラップ、Ｓトラップ、逆碗トラップ等）によっても封水強度は変化する。具体的には、封水部を形成する形状が同じ、ＰトラップとＳトラップを比較した場合、Ｐトラップは、一度Ｐトラップ外に引っ張られた水も幾分かはＰトラップに戻る様な仕組みになっているが、Ｓトラップの場合は、一度Ｓトラップ外に引っ張られた水はＳトラップに戻ってくることは無い等、封水強度は一定ではない。
【０００９】
以上のように、封水深や脚断面積比の調整によって、排水トラップの封水強度を高めるには限界があるため、上記以外の方法で、排水トラップの封水強度を高めることが望まれる。
【００１０】
そこで、特許文献２には、排水設備が正圧になったときに、排水設備内の空気を可撓性空気溜めに流入して、当該可撓性空気溜めを膨らませることによって、正圧を減衰する圧力減衰装置が開示されている。
【先行技術文献】
【特許文献】
【００１１】
【特許文献１】実開平６−２０５６８号公報
【特許文献２】特許第４２９５６１６号公報
【発明の概要】
【発明が解決しようとする課題】
【００１２】
しかしながら、特許文献２には、圧力減衰装置を排水トラップに設けることは記載されていない。排水構造、例えば立て管に圧力減衰装置を設けても、排水トラップ付近の正圧を十分に減衰させることはできないため、排水トラップの封水強度を高めることができない。このように、排水トラップ付近の正圧を減衰できなければ、排水トラップの部分で排水の拭き出しが起こってしまう。
【００１３】
本発明は、上記事実を考慮し、封水強度を高めることが可能な排水トラップ及びユニットバスの排水構造を提供することを目的とする。
【課題を解決するための手段】
【００１４】
本発明の第１態様に係る排水トラップは、排水が流入する流入部と、前記排水が流出する流出部と、前記流入部と前記流出部の間に設けられる水封式の封水部と、前記流出部と連通し、空気圧により拡縮する拡縮室と、を備える。
【００１５】
この構成によれば、流出部が正圧状態となった場合でも、流出部内の空気が拡縮室内に流入し、空気圧によって拡縮室が拡大する。これにより、流出部内の空気は、拡縮室内へ流れるので、正圧を吸収することができ、もって封水部に正圧が作用することを抑制することができる。
封水部への正圧の作用を抑制すれば、封水が流入部から拭き出す現象も生じなくなり、もって排水トラップの封水強度を高めることが可能となる。
また、流出部が正圧状態から負圧状態に変化したときには、拡縮室内の空気が流出部内に流入して、拡張した拡縮室が縮小し元の状態に戻る。これにより、負圧となった後に再び正圧となった場合でも、流出部内の空気を拡縮室内に流すことができる。
【００１６】
本発明の第２態様に係る排水トラップは、一端部が前記流出部と連通し他端部が前記拡縮室と連通する空気抜き管を有する。
このように、空気抜き管を介して、流出部と拡縮室とを連通させることができる。
【００１７】
本発明の第３態様に係る排水トラップは、前記空気抜き管の前記他端部は上方に延出されている。
このように、空気抜き管の他端部を上方に延出させることにより、流出部内の排水が空気抜き管に流入することを抑制することができる。
【００１８】
本発明の第４態様に係る排水トラップは、前記空気抜き管の前記他端部側は、鉛直方向に配置されている。
この構成によれば、空気抜き管の他端部側、すなわち、空気抜き管の拡縮室との接続側を、鉛直方向に配置することにより、流出部の正圧を効果的に吸収することができる。
【００１９】
本発明の第５態様に係る排水トラップは、前記空気抜き管は、前記一端部が前記流出部の上部と連通している。
このように、空気抜き管の一端部を流出部の上部と連通させることにより、空気抜き管への排水の流入を抑制することができる。
【００２０】
本発明の第６態様に係る排水トラップは、前記流出部に設けられ、外部からの空気を前記流出部へ流入させる通気弁を備える。
この構成によれば、流出部が負圧となることに起因する、破封や、それに伴う排水騒音等を防止することができる。
【００２１】
本発明の第７態様に係る排水トラップは、前記拡縮室が袋体で構成される。
このように、拡縮室を袋体で構成することにより、拡縮室を小さいスペースで簡易な構成によって形成できる。
【００２２】
本発明の第８態様に係るユニットバスの排水構造は、ユニットバスに設けられる排水口と、前記排水口に連通し、前記ユニットバスの床面と床スラブとの間に設けられる上述の排水トラップと、を有する。
この構成によれば、排水トラップの封水強度は、拡縮室を設けることによって高めることができるため、封水深を浅くしても支障がない。したがって、ユニットバスの床面と床スラブとの間にある排水トラップの封水深を浅くして、床スラブ面からユニットバスの床面までの高さ方向の寸法（以下、床下の寸法という）を小さくすることができる。
【００２３】
本発明の第９態様に係るユニットバスの排水構造は、前記排水トラップの流出部と連通して横方向へ延び、前記排水トラップからの排水を横方向へ流す横引き管と、前記横引き管と連通して下方へ延び、前記横引き管からの排水を流下させることによりサイフォン力を発生させる竪管と、を備える。
従来排水では封水深を浅くしても、排水トラップ以降の配管が長いと、あえてユニットバスを嵩上げしなければいけないのに対して、第９態様のようなサイフォン排水構造であれば嵩上げの必要がないので、封水深を浅くする意義が出てくる。
【発明の効果】
【００２４】
以上説明したように本発明によれば、封水強度を高めることが可能な排水トラップ及びユニットバスの排水構造を提供することができる。
【図面の簡単な説明】
【００２５】
【図１】本発明の第１実施形態に係るユニットバスの排水構造の一部構成を概略的に示す部分断面図である。
【図２】ユニットバスの要部の斜視図である。
【図３】本発明の第１実施形態に係る排水トラップの本体部を概略的に示す断面図である。
【図４】本発明の第１実施形態に係る拡縮室の動作を説明する概略図である。
【図５】本発明の第２実施形態に係る排水トラップの本体部を示す概略図である。
【図６】本発明の第３実施形態に係る排水トラップの本体部を示す概略図である。
【図７】本発明の第４実施形態に係る排水トラップの本体部を示す概略図である。
【図８】本発明の第１実施形態〜第４実施形態に係る排水トラップの変形例である。
【図９】本発明の第１実施形態に係る拡縮室の形成部材の変形例の概略図である。
【図１０】本発明の第１実施形態に係る拡縮室の形成部材の他の変形例の概略図である。
【図１１】本発明の第１実施形態に係る通気弁の変形例の概略図である。
【図１２】サイフォン排水構造を示す概略図である。
【発明を実施するための形態】
【００２６】
［第１実施形態］
−ユニットバスの排水構造−
以下に、本発明のユニットバスの排水構造の第１実施形態を図面に基づき説明する。
【００２７】
図１は、本発明の第１実施形態に係るユニットバス１０の排水構造１２の一部構成を概略的に示す部分断面図であり、図２はユニットバス１０の要部の斜視図である。
【００２８】
ユニットバス１０は、床スラブ１４の上部に図示しない支持部材を介してユニットバス１０の床面としての浴室用防水パン３０が配置されている。
浴室用防水パン３０の上部には、一方の側に入浴用の湯水を溜める容器としての浴槽３２が配置され、浴室用防水パン３０の浴槽３２以外の部位は、体を洗うための洗い場３４となっている。なお、浴室用防水パン３０の上部に浴槽３２を配置した構造のユニットバスを、フルパン構造のユニットバスと呼ぶことがある。
【００２９】
浴槽３２には、浴槽３２内に溜めた湯水を排出するための排水口３６が設けられており、栓３８で塞ぐことが可能となっている。
浴室用防水パン３０には、排水口３６の下側に、排水口３６からの湯水等を排出するための排水口４０が設けられている。この排水口４０には、目皿４２が取り付けられている。
【００３０】
目皿４２の下方には、本発明の第１実施形態に係る水封式の排水トラップ４６が設けられている。
排水トラップ４６は、排水口４０に接続された浴槽用排水配管４４を備えている。この浴槽用排水配管４４の下流側の端部には、排水トラップ本体５０が接続されている。
【００３１】
排水トラップ本体５０は、ユニットバス１０の浴室用防水パン３０と床スラブ１４との間に設けられている。
【００３２】
−排水トラップの構成−
図３は、本発明の第１実施形態に係る排水トラップの本体部を概略的に示す断面図である。
排水トラップ本体５０は、浴室用防水パン３０の下に配置された外筒５４を備えている。外筒５４の外周壁５４Ａには、流入部として浴槽用排水配管４４が接続される流入側接続管５６が形成されている。流入側接続管５６の排水口５８の上方は外周壁５４Ａで仕切られており、浴槽側の封水深を確保している。
【００３３】
また、外筒５４の外周部には、外筒５４から排水が流れ出る流出部６４が形成され、この流出部６４につながる流出側接続管６６が、排水管５２に接続される構成である。
流出側接続管６６には、通気弁６８が形成されている。通気弁６８は、外部から流出部６４内への空気の流入が可能とされていると共に、流出部６４内から外部へは空気及び排水を通過させない、逆止弁機能をもって構成されている。通気弁６８としては、メンブレンバルブなどのように弾性体を用いたものや、ボール式逆止弁など、種々の機械要素により構成された逆止弁を用いることが可能である。本実施形態では、通常時には、閉鎖され、流出部６４が負圧になることにより開放される不図示の逆止弁を備えた通気弁６８として説明する。
【００３４】
また、流出部６４には、浴室用防水パン３０の下を横方向へ延びる空気抜き管７０が接続されている。この空気抜き管７０の排気口７０Ａには、袋体７２が固定され、排気口７０Ａから空気が出入りするようになっている。
袋体７２は、伸縮自在に弾性材料で形成されたもの等を用いることができ、材質としては、例えば、ゴム、ビニル又はゴム以外のエラストマー等を用いることができる。また、袋体７２の内部には、拡縮室７４が構成されている。
【００３５】
拡縮室７４は、空気抜き管７０を通じて流出部６４と連通し、空気圧により室内が拡縮可能な密閉空間とされ、押圧された流出部６４内の空気が流入可能とされている。このような拡縮室７４は、内部に空気が流入することにより拡大し、内部から空気が流出することにより縮小する。
【００３６】
さらに、外筒５４には、外筒５４の内側に環状の貯留空間７５を形成するように、浴室用防水パン３０側から内筒７６が挿入されている。内筒７６の下端部と外筒５４の底部５４Ｂとの間には、外筒５４と内筒７６との間を排水が流れる連通部７８が形成されている。すなわち、外筒５４の外周壁５４Ａの上部から流れ出るまで外筒５４や浴槽用排水配管４４に排水を溜めることで、浴槽用排水配管４４と排水管５２が封水され、排水管５２を伝わって、臭いが排水口４０まで上がってこない構成となっている。なお、内筒７６の下端から外筒５４の上端までの高さｈが、封水深となる。
【００３７】
また、内筒７６の上部は、浴室用防水パン３０に形成された凹部８０に嵌る目皿蓋８２で覆われており、異物の混入を防ぐとともに、体を洗う際に使用した湯水、浴槽３２から溢れた湯水等を、目皿蓋８２から内筒７６へ排水できる構成である。
【００３８】
−作用−
次に、本発明の第１実施形態に係るユニットバス１０の排水構造１２及び排水トラップ４６の作用を説明する。
【００３９】
第１実施形態に係るユニットバス１０の排水構造１２では、浴槽３２からの排水は、浴槽３２の排水口３６から排出され、排水口４０を介して、排水トラップ４６に流入する。すなわち、排水は、排水口４０から流入部としての浴槽用排水配管４４を介して排水トラップ本体５０の流入側接続管５６へ流入し、連通部７８へ流れる。そして、連通部７８を介して外筒５４の上端から溢れた排水は、流出部６４及び流出側接続管６６を介して排水管５２へ流入し、ユニットバス１０から排出される。
【００４０】
一方、洗い場３４からの排水は、洗い場３４の凹部８０から、排水トラップ本体５０の流入部としての内筒７６の開口部へ流入し、連通部７８へ流れる。そして、連通部７８を介して外筒５４の上端から溢れた排水は、流出部６４及び流出側接続管６６を介して排水管５２へ流入し、ユニットバス１０から排出される。
【００４１】
ここで、流出部６４内が大気圧又は負圧の時は、排水トラップ本体５０の袋体７２は、図４（Ａ）に示すように、扁平となった扁平状態となっている。ところが、流出部６４内が正圧になったとき、流出部６４内の空気が拡縮室７４内に流入し、図４（Ｂ）に示すように、空気圧によって袋体７２が膨出状態となり、拡縮室７４が拡大する。これにより、流出部６４内の正圧を吸収することができ、もって貯留空間７５内の封水に正圧が作用することを抑制することができる。
【００４２】
貯留空間７５内の封水への正圧の作用を抑制すれば、外筒５４の排水面が下がり、封水が浴槽用排水配管４４等の流入部から拭き出す現象も生じなくなり、もって排水トラップ本体５０の封水強度を高めることが可能となる。
また、流出部６４内が正圧から負圧に変化したときには、拡縮室７４内の空気が流出部６４に流入して、図４（Ａ）に示すように、拡張した拡縮室７４が縮小し元の状態に戻る。これにより、負圧となった後に再び正圧となった場合でも、流出部６４内の空気を拡縮室７４内に流すことができる。
【００４３】
さらに、袋体７２が縮小し元の状態に戻った後、負圧が続いた場合でも、通気弁６８から空気が流入し、流出部６４内がより負圧となりにくい。流出部６４内が大気圧状態から負圧になった時も同様である。したがって、流出部６４が負圧となることに起因する、破封や、それに伴う排水騒音などを防止することができ、もって排水トラップ本体５０の封水強度を高めることができる。
【００４４】
さらにまた、第１実施形態に係るユニットバス１０の排水構造１２では、排水トラップ本体５０の封水強度は、拡縮室７４を設けることによって高めることができるため、封水深を浅くしても支障がない。
ここで、排水トラップ本体５０の封水深は、内筒７６の下端から外筒５４の上端までの高さｈであるが（図３参照）、拡縮室７４を設けることで、従来の排水トラップと同じ封水強度を保ちながら当該排水トラップの封水深よりも浅く、例えば従来の封水深が５０ｍｍであったところを、５０ｍｍ未満に設定できる。
したがって、ユニットバス１０の浴室用防水パン３０と床スラブ１４との間にある排水トラップ本体５０の封水深を浅くして、ユニットバス１０の床下の寸法を小さくすることができる。
【００４５】
また、袋体７２と流出部６４を接続する空気抜き管７０が、水平方向に延出されているため、排水トラップ本体５０に袋体７２を設けた場合に床下の寸法が大きくなることを抑制することができる。
さらにまた、空気抜き管７０の一端部が、流出部６４の上部と連通しているため、空気抜き管７０への排水の流入を抑制することができる。
【００４６】
［第２実施形態］
次に、本発明の第２実施形態に係る排水トラップについて、図５を用いて説明する。
図５は、本発明の第２実施形態に係る排水トラップの本体部を示す概略図である。
【００４７】
第２実施形態に係る排水トラップ１００の本体部は、第１実施形態の排水トラップ本体５０と比較して、空気抜き管の構成が異なる。
即ち、第２実施形態に係る排水トラップ１００の空気抜き管１０２は、中間部が屈曲してＬ字状に形成されており、流出部から横方向に延びる横管１０２Ａと、横管１０２Ａから上方に延びる縦管１０２Ｂとで構成されている。空気抜き管１０２は、一端部が流出部６４と連通し他端部が拡縮室７４と連通しており、第２実施形態の構成では、他端部側が鉛直方向に配置されている。
【００４８】
本発明の第２実施形態に係る排水トラップ１００の構成によれば、空気抜き管１０２の他端部側、すなわち、空気抜き管１０２の拡縮室７４との接続側を、鉛直方向に配置することにより、流出部６４の正圧を効果的に吸収することができる。
【００４９】
［第３実施形態］
次に、本発明の第３実施形態に係る排水トラップについて、図６を用いて説明する。
図６は、本発明の第３実施形態に係る排水トラップの本体部を示す概略図である。
【００５０】
第３実施形態に係る排水トラップ１１０の本体部は、第１実施形態の排水トラップ本体５０と比較して、袋体と流出部との接続方法が異なる。
即ち、第３実施形態に係る排水トラップ１１０の袋体１１２は、空気抜き管を介さず直接流出部６４に接続されている。
【００５１】
本発明の第３実施形態に係る排水トラップ１１０の構成によれば、袋体１１２が流出部６４に直接接続されているので、第１実施形態の構成に比べ、空気抜き管７０が不要となり、部品点数を少なくしつつ、排水トラップ１１０の封水強度を高めることが可能となる。
【００５２】
［第４実施形態］
次に、本発明の第４実施形態に係る排水トラップについて、図７を用いて説明する。
図７は、本発明の第４実施形態に係る排水トラップの本体部を示す概略図である。
【００５３】
第４実施形態に係る排水トラップ１２０の本体部は、第１実施形態の排水トラップ本体５０と比較して、袋体の構成が異なる。
即ち、第４実施形態に係る排水トラップ１２０の袋体１２２は、流出部６４と直接連通し、排水トラップ１２０のトラップ本体を覆うようにトラップ本体に取り付けられている。この袋体１２２は、排水トラップ１２０のハウジングとみなすこともできる。
【００５４】
本発明の第４実施形態に係る排水トラップ１２０の構成によれば、袋体１２２が排水トラップ１２０のトラップ本体を覆うようにトラップ本体に取り付けられているため、膨出するスペースを確保し易く、正圧をより吸収することが可能となる。また、袋体１２２は、流出部６４と直接連通しているので、第１実施形態の構成に比べ、空気抜き管７０が不要となり、部品点数を少なくしつつ、排水トラップ１２０の封水強度を高めることが可能となる。
【００５５】
［その他の変形例］
本発明は、上記の実施形態に限るものではなく、種々の変形、変更、改良が可能である。
【００５６】
例えば、本発明の第１実施形態に係る排水トラップ４６が適用される水廻り器具としては、ユニットバス１０で構成されている場合を説明したが、洗面台、洗濯機、台所流し及びトイレ等のいずれかで構成されていてもよい。
【００５７】
また、第１実施形態では、排水トラップ４６が逆碗トラップである場合を説明したが、本発明の排水トラップとしては、図８に示すようなトラップ構造を採用してもよい。このような場合でも、排水トラップの下流側にある流出部６４に袋体７２が接続される。
図８（Ａ）は、Ｐトラップの部分断面図であり、図８（Ｂ）は、Ｓトラップの部分断面図である。また、図８（Ｃ）は、Ｕトラップの部分断面図であり、図８（Ｄ）は、碗トラップの部分断面図である。さらに、図８（Ｅ）は、ボトルトラップの部分断面図であり、図８（Ｆ）は、ドラムトラップの部分断面図である。
第２〜第４実施形態も同様に、他のトラップを用いることができる。
【００５８】
また、第２実施形態の空気抜き管１０２の横管１０２Ｂは、縦方向に伸びている必要は無く、若干斜めに傾いていてもよい。
【００５９】
また、袋体７２は、トラップ本体とは別体である場合を説明したが、トラップ本体のハウジング自体が袋体７２で構成されていてもよい。特に、流出部６４のハウジングが袋体で構成されていればよい。
【００６０】
また、拡縮室７４を形成する形成部材としては、袋体７２に限られず、種々の部材を用いることが可能である。例えば、図９に示すように、ピストン１３０Ａがシリンダ１３０Ｂ内で往復移動可能に設けられたシリンダ状部材１３０で構成してもよい。この構成では、ピストン１３０Ａが往復移動することにより、シリンダ１３０Ｂの内部に形成される拡縮室７４が拡縮する。すなわち、シリンダ１３０Ｂ内に空気が流入することにより、図９（Ｂ）に示すように、ピストン１３０Ａが押し上げられて拡縮室７４が拡張され、シリンダ１３０Ｂ内から流出部６４内へ空気が流出することにより、図９（Ａ）に示すように、ピストン１３０Ａが下がって拡縮室７４が縮小する。
【００６１】
また、図１０に示すように、蛇腹状にされた側壁１４０Ａを有する筒状の蛇腹状部材１４０であってもよい。蛇腹状部材１４０は、一端部（図１０における右端部）が閉鎖され、他端部（図１０における左端部）が開放され、この開放端部が空気抜き管７０と連通している。蛇腹状部材１４０は、蛇腹状の側壁１４０Ａが伸縮可能とされており、図１０（Ｂ）に示すように側壁１４０Ａが伸長することにより、拡縮室７４が拡大され、図１０（Ａ）に示すように側壁１４０Ａが縮むことにより、拡縮室７４が縮小される。
【００６２】
拡縮室７４を形成する形成部材は、拡張後に流出部６４内が負圧となったり、大気圧へ戻ったりした際に、拡縮室７４内の空気が流出部６４内へ戻るように構成されていることが好ましい。例えば、拡縮室７４から流出部６４側へ流入する空気の流入抵抗を、通気弁６８から流出部６４側へ流入する空気の流入抵抗よりも小さくすることにより、拡縮室７４内の空気を流出部６４内へ流入しやくすることができる。すなわち、流出部６４へは、通気弁６８からよりも拡縮室７４からの方が、空気を流入しやすくすることができる。この空気の流入しやすさは、例えば、拡縮室７４を形成する形成部材の柔軟性を高くして、拡縮室７４が拡縮しやすくすることにより調整できる。
【００６３】
また、形成部材に、内容積を縮小させる方向へ力を作用させることで、流出部６４内が大気圧、負圧になった際に、拡縮室７４から流出部６４へ空気を流入しやすくすることができる。例えば、形成部材として、ゴムなどの弾性変形可能なものを用いて、拡大した拡縮室７４を縮小させる復元力を発揮させたり、弾性を有さない材料を用いた場合でも、拡縮室７４を縮小させる形状に復元するように「くせ付け」を行っておいたりすることにより、拡縮室７４から流出部６４へ空気を戻すことができる。また、図９に示すシリンダ状部材１３０や、図１０に示す蛇腹状部材１４０を用いる場合には、ピストン１３０Ａ、蛇腹状部材１４０の上部に質量体を取り付けて、いわゆる重石とすることにより、拡縮室７４の縮小を行うことができる。
【００６４】
また、空気抜き管７０の上流端部は、流出部６４の下部に接続されていてもよい。また、空気抜き管７０は、流出部６４から斜め上方に延びる構成であってもよい。
【００６５】
また、通気弁６８としては、メンブレンバルブなどのように弾性体を用いたものや、ボール式逆止弁など、種々の機械要素により構成された逆止弁を用いることが可能である。通気弁６８は、流出部６４に設ける場合を説明したが、図１１に示すように、空気抜き管７０に設ける構成であってもよい。さらに、本発明の排水トラップとしては、通気弁６８を有さない構成であってもよい。
【００６６】
また、図３に示す排水トラップ本体５０には内筒７６が設けられているが、内筒７６は省略することもできる。
【００６７】
また、流出部６４と流出側接続管６６は、別々に存在するように説明したが、流出部６４には、流出側接続管６６が含まれるようにしてもよい。
【００６８】
また、本発明のユニットバスの排水構造は、従来からある、勾配のある排水管５２を備えた勾配排水構造を想定しているが、サイフォン力を利用して水回り器具からの排水を効率よく排出するサイフォン排水構造に適用することもできる。
【００６９】
図１２は、サイフォン排水構造を示す概略図である。サイフォン排水構造２００は、複数階で構成された主に集合住宅に用いられ、排水を下方へ流す排水立て管２０２を備えている。集合住宅の各階には、水廻り器具２０４が設けられており、この水廻り器具２０４には、水廻り器具２０４から排出される排水を流すサイフォン排水管２０６が接続されている。
このサイフォン排水管２０６は、水廻り器具２０４に接続される横引き管２０８と、この横引き管２０８と連通する竪管２１０とを備えて構成されている。
【００７０】
横引き管２０８は、床スラブ１４上で横方向に延設されている。この横引き管２０８は、無勾配で配置され、ユニットバス１０から横引き管２０８へ流入した排水を横方向へ流す。
この横引き管２０８と連通する竪管２１０は、排水立て管２０２に沿って、上下方向（縦方向）に延設されている。この竪管２１０は、横引き管２０８から竪管２１０へ流入した排水を下方へ流下させることによりサイフォン力を発生させる。
【００７１】
この竪管２１０と排水立て管２０２とを連結する排水継手２１２が設けられている。この排水継手２１２は、竪管２１０からの排水を排水立て管２０２へ合流させる。
【００７２】
ここで、従来排水では封水深ｈを浅くしても、排水トラップ本体５０以降の排水管５２が長いと、あえてユニットバス１０を嵩上げしなければいけないのに対して、上述のようなサイフォン排水構造２００であれば嵩上げの必要がないので、封水深ｈを浅くする意義が出てくる。
【００７３】
また、上述のサイフォン排水構造以外でも、真空排水や圧送排水構造などの小口径で流せる排水構造においても、本発明の排水トラップを適用することができる。
【符号の説明】
【００７４】
１０  ユニットバス
１２  排水構造
１４  床スラブ
３０  浴室用防水パン（ユニットバスの床面）
４０  排水口
４４  浴槽用排水配管（流入部）
４６、１００、１１０、１２０  排水トラップ
６４   流出部
６８  通気弁
７５  貯留空間（封水部）
７６、１０２  空気抜き管
７４  拡縮室
７２、１１２、１２２  袋体
２０８  横引き管（排水管）
２１０  竪管
【図１】
0005496705.tif 000002
【図２】
0005496705.tif 000003
【図３】
0005496705.tif 000004
【図４】
0005496705.tif 000005
【図５】
0005496705.tif 000006
【図６】
0005496705.tif 000007
【図７】
0005496705.tif 000008
【図８】
0005496705.tif 000009
【図９】
0005496705.tif 000010
【図１０】
0005496705.tif 000011
【図１１】
0005496705.tif 000012
【図１２】
0005496705.tif 000013